(57)【要約】本発明はディスク状デジタル記録媒体（３）を支持するケースに関し、該ケースは、収容時にディスク（３）の余白領域と重なるように区画された２つの径方向肩部（４，５，６）によって構成される、前記ディスク（３）を保持する手段を含むトレイ（１）を備え、前記径方向肩部の少なくとも１つが、ディスクの余白領域と重なる非活動位置と、前記肩部が前記余白領域を解放する解放位置との間を移動可能である。本発明は、前記錠止可動肩部（５，６）が、トレイ（１）を連結する２枚の側板（３１）によって担持された取出ボタン（３０）と、ディスク（３）の底面を弾性的に押圧するように付勢され、前記連結板（３１）の上方に延びる中央板（３３）とを備えることを特徴とする。
2008506596.tif 000002
【特許請求の範囲】
【請求項１】
ディスク状デジタル記録媒体（３）を支持するケースであって、該ケースは、収容時にディスク（３）の余白領域と重なるように区画された少なくとも２つの径方向肩部（４，５，６）によって構成される、前記ディスク（３）を保持する手段を備えるトレイ（１）からなり、前記径方向肩部の少なくとも１つが、ディスクの余白領域と重なる非活動位置と、前記肩部が前記余白領域を解放する解放位置との間を移動可能である前記ケースにおいて、
前記錠止可動肩部（５，６）は、トレイ（１）を連結する２枚の側板（３１）によって担持された取出ボタン（３０）と、ディスク（３）の底面を弾性的に押圧するように付勢され、前記連結板（３１）の上方に延びる中央板（３３）とを備えることを特徴とするケース。
【請求項２】
トレイの底部（３２）の径方向に前記連結板（３１）が延設されることを特徴とする請求項１に記載のケース。
【請求項３】
トレイの底部（３２）は、ディスクの底面のための支持領域を形成する少なくとも１つの分離部材（３５）を備え、分離部材（３５）の前記支持領域を通る面と、肩部（４〜６）の内面を通る面との間の距離が実質的にディスク（３）の厚みと実質的に一致することを特徴とする請求項１又は請求項２に記載のケース。
【請求項４】
トレイ（１）は、ディスク（３）を収容するための筒状の空洞（２）を有することを特徴とする請求項１から請求項３のいずれか一項に記載のケース。
【請求項５】
前記空洞（２）は前記ディスク（３）の径よりもわずかに大きい径を有することを特徴とする請求項１から請求項４のいずれか一項に記載のケース。
【請求項６】
前記筒状空洞（２）には、前記肩部（４〜６）の１つの反対側に、前記空洞（２）に向かって開いた凹部を形成する操作領域（８）が延設されることを特徴とする請求項１から請求項５のいずれか一項に記載のケース。
【請求項７】
肩部（４〜６）のうちの１つが前記空洞（２）の領域に重なり、前記領域の寸法がディスク（３）の径の５％未満であることを特徴とする請求項１から請求項６のいずれか一項の記載のケース。
【請求項８】
肩部（４〜６）のうちの１つが、ディスク（３）の径の５％未満の距離にわたって空洞（２）の一部に重なる径方向延設部によって形成されることを特徴とする請求項１から請求項７のいずれか一項に記載のケース。
【請求項９】
横断径Ｄに関して１０°〜４５°の範囲の空洞（２）の角度区画（Ｂ）内に対称に配置された２つの錠止肩部（５，６）を備えることを特徴とする請求項１から請求項８のいずれか一項に記載のケース。
【請求項１０】
ディスク（３）の余白縁が挿入される長穴（４０）を備えるとともに、底部（３２）および空洞（２）の外側に向かって傾斜した上面（４１）を有する楔止め肩部（４）を備えることを特徴とする請求項１から請求項９のいずれか一項に記載のケース。
【請求項１１】
楔止め肩部（４）が空洞（２）の長手軸Ｘ上に配置されることを特徴とする請求項１０に記載のケース。
【発明の詳細な説明】
【技術分野】
【０００１】
本発明は、ＣＤ、ＤＶＤおよびミニＣＤなどのディスク状デジタル記録媒体用のケースの分野に関する。
【背景技術】
【０００２】
当該分野では、ディスクを掴む心立てハブを含むケースの一般的な理論が知られている。このような心立てハブは一般的に、いくつかの変形可能なタブを有しており、それらは、プラスチック材料からなるケースの底部の成形によって作成されてもよいし、段ボール支持体に接着された部分の形態でもよい。
【０００３】
一例として、フランス国特許発明第２８１０４４２号明細書は、本体と、カバーと、成形ヒンジ機構とからなり、管状の突起要素を含む、ＤＶＤ、ＣＤまたはＶＣＤ用ケースを記載している。突起要素は本体から上方に延びており、ディスクを支持する。この突起要素は、ディスクの中心孔内に留まる可撓性タブを有する突出フランジによって形成される。これらのタブは弱くて脆く、輸送中、又はディスクの出し入れの際に破損する可能性がある。破損したタブはケースとディスクとの間を方々に移動し、ディスクの表面を傷つける可能性がある。
【０００４】
製造許容誤差が相当に低い複雑な型の中で突起要素を成形しなければならないことから、このようなケースの製造コストは高くなる。上記タブは概して感温性であり、常にディスクを有効に支持するとは限らない。
【０００５】
さらに、フランジがケースの底部に接着されている場合、子供が取り外したり飲み込んだりする可能性がある。
我々はまた、フランス国特許発明第２７３００８７号明細書において、底部が、該底部に対して縦方向に配置された３つのスタッドを有する、可撓性プラスチック材料からなるケースを提案している。ディスクは３つのスタッドの間に楔止めされる。ディスクが適切に支持されないことから、この解決策は非常に適切とはいえない。さらに、スタッドが急速に摩滅しやすい。
【０００６】
米国特許第６４４３３００号明細書は、特に、１枚以上のディスクを収容する空洞と、前記基体に接続されたディスク保持ストラップとを備えたディスク用ケースを開示している。これらのストラップは、空洞内に置かれた１枚以上にディスクの縁部にわたって延びており、該ディスクを前記空洞内に保持し（閉じた状態）、解放位置に動くことで該ディスクの前記空洞からの取り出しが可能になる。
【０００７】
しかしながら、このようなケースには欠点も伴う。実際のところ、前記ディスクを解放するには保持ストラップへの直接的な人手の介入が必要であることから、使用者がストラップをその解放位置に動かす際にディスクを引っ掻くおそれが増加する。さらに、これらのストラップを解放位置に動かす操作は相当に不便である。実際、この操作には、両方のストラップを同時に解放するために、前記個々のストラップに連続して解放操作を行うか、あるいは使用者が両手を使うことのいずれかが必要になる。
【０００８】
また、フランス国特許発明第２８４６７７４号明細書には、ディスク状デジタル記録媒体用のケースであって、ディスクに対する心立て装置を有するトレイによって形成されるケースが知られており、該ケースは、ディスクの位置決め用の正中線の両側に配置された少なくとも２つの径方向肩部をトレイが有しており、前記径方向肩部は、収容時にディスクの余白領域と重なり、トレイの底部とともにディスクの厚みと実質的に同じ高さを有する長孔を区画するように区画されていることを特徴とする。
【発明の開示】
【発明が解決しようとする課題】
【０００９】
ディスクの取り出しは必ずしも容易ではなく、本発明は、ケースからのディスクの取出しを容易にするケースを提供することを目的とする。
【課題を解決するための手段】
【００１０】
この目的のために、本発明は広義には、ディスク状デジタル記録媒体を支持するケースに関し、該ケースは、収容時にディスクの余白領域と重なるように区画された少なくとも２つの径方向肩部によって構成される、前記ディスクを保持する手段を備えるトレイからなり、前記径方向肩部の少なくとも１つが、ディスクの余白領域と重なる非活動位置と、前記肩部が前記余白領域を解放する解放位置との間を移動可能であり、前記錠止可動肩部は、トレイを連結する２枚の側板によって担持された取出ボタンと、ディスクの底面を弾性的に押圧するように付勢され、前記連結板の上方に延びる中央板とを備えることを特徴とする。
【００１１】
好ましくは、前記連結板はトレイの底部の径方向に延設される。
一つの変形によれば、トレイの底部は、ディスクの底面のための支持領域を形成する少なくとも１つの分離部材を含み、分離部材の前記支持領域を通る面と、肩部の内面を通る面との間の距離が実質的にディスクの厚みと同じである。
【００１２】
別の変形によれば、分離部材の高さが、中央板を配置するための空間を区画する。
一つの変形によれば、トレイは、ディスクを収容するための、前記ディスクの径よりも僅かに大きい径を有する筒状の空洞を有する。
【００１３】
前記筒状空洞には、前記肩部の１つの反対側に、前記空洞に向かって開いた凹部を形成する操作領域が延設される。
有益には、肩部のうちの１つが前記空洞の領域に重なり、前記領域の寸法がディスクの径の５％未満である。
【００１４】
有益な変形によれば、肩部のうちの１つが、ディスクの径の５％未満の距離にわたって空洞の一部に重なる径方向延設部によって形成される。
別の変形によれば、ケースはまた、横断径Ｄに関して１０°〜４５°の範囲の空洞の角度区画内に対称に配置された２つの錠止肩部を備える。
【００１５】
さらに別の変形によれば、ケースは、ディスクの余白縁が挿入される長孔を備えるとともに、底部および空洞の外側に向かって傾斜した上面を有する楔止め肩部を備える。
楔止め肩部は、好ましくは空洞の長手軸Ｘ上に配設される。
【００１６】
本発明は、本発明実施形態に非限定的な例に関する添付の図面を参照して行う以下の説明を読むことにより、よりよく理解されるであろう。
【発明を実施するための最良の形態】
【００１７】
ケースは、ディスク（３）を収容する略筒状のハウジングを有するトレイ（１）からなる。
トレイ（１）はプラスチックまたは任意の他の材料からなる。トレイ（１）は、空洞（２）によって形成されるハウジングを有しており、該空洞（２）は、環状の境界部と、ディスク（３）と略同一の径を有する中央底部（３２）とを有している。約２０ミリメートルの幅を有する２つの操作ハウジング（８）が延設されており、これにより、指でディスク（３）の縁を掴むことが可能になる。これらのハウジング（８）は半球形の断面を有しており、ハウジングの底部はディスクの底面の下方で開いている。
【００１８】
ケースは、空洞の半径を部分的にディスク（３）の半径より小さくする３つの径方向肩部（４〜６）を備えている。これらの肩部（４〜６）は横方向に配置されており、空洞（２）の周縁領域と重なるように張り出している。
【００１９】
肩部（４〜６）の上面は底部（３２）に対向する斜面を有しており、これにより、ハウジングへのディスクの挿入および案内を容易にしている。
肩部（４〜６）は、空洞と１〜２ミリメートル重なるように径方向に突出しており、ディスク（３）を空洞（２）内に確実かつ有効に支持するとともに、トレイ（１）の一部の弾性変形によってディスクの挿入と取出しを容易にする。
【００２０】
図１に示すように、肩部のうちの少なくとも一方（６）はディスクの錠止を行う。この肩部には、空洞（２）の外側に延びる取出ボタン（３０）が延設されている。これは、空洞（２）の周辺に位置するトレイの切出し部分に配置されることにより、この周辺境界面に関しての押圧が可能である。
【００２１】
図２および３において詳細に示すように、取出ボタン（３０）は２つの弾性連結板（３１）によって担持されるおり、該板は、それらが固着されるトレイ（１）の空洞（２）の底部（３２）に向かって径方向に傾斜して延びている。
【００２２】
このボタン（３０）は可動式である。すなわち、使用者が垂直方向（ディスクの表面に垂直）の圧力を加えると、連結板（３１）が変形し、ボタンが、ボタンと底部（３２）とを接続する領域（３６）に関して弾性的に移動する。この移動により、肩部（６）はディスク（３）から分離され、該ディスクは解放されて取り出し可能となる。
【００２３】
取り出しを容易にするために、バネを形成する可撓性中央板（３３）が２枚の側板（３１）の間に配置されており、その自由端（３３ａ）によって、ディスク（３）の底面に圧力が加えられてディスク（３）が肩部（６）の下方に保持される。このようにして、肩部が中央板の弾性戻りによってその上部非活動位置に解放されているときに（６）、ディスクが取り出される。
【００２４】
この目的のために、図２に示すように、バネ板（３３）の端部（３３ａ）は上方へ湾曲しており、肩部（６）の内縁と面一であり、それによって厚みが小さい分離溝を画成する。
【００２５】
バネ板（３３）は他の２枚の板（３１）の共通面に平行な面に延びているが、わずかに上方へずれている。
したがって、中央板（３３）はディスクの重量の大半を受けている。
【００２６】
板（３１，３３）の移動に必要な間隙を設けるために、ケースの底部は、ディスクの底縁を支持するスペーサを形成するスタッド（３５）を有している。
ディスクは、その上面が抑えられることによって、そのハウジングに挿入され、その後、ディスクは支え（５）に当接し、自動的に肩部（４）と肩部（６）との間に心合わされてから空洞（２）内にスナップ嵌合される。
【００２７】
ディスクを取り出すためにボタン３０が押されると、該ボタンは連結板（３１）の変形によって枢動してディスクを解放し、バネ板（３３）の作用による自動取出しが起こる。
図４に示す変形によれば、肩部のうちの１つ（４）が、底部（３２）とともに空洞（２）側で楔止め長孔（４０）を区画し、これに、他の肩部（５，６）と係合する側の反対側のディスクの縁が挿入され、確実に定位置で固定される。肩部（４）は、底部に向かって、かつ空洞の外側に向かって傾斜した上面（４１）を有している。
【００２８】
このようにして、ディスクは、空洞（２）内で傾斜面に沿って置かれ、ディスクの上縁は、取出ボタン（３０）による肩部（５，６）への挿入により空洞（２）の底部（３２）から離れた状態に維持され、底縁は、底部（３２）に接触して楔止め肩部（４）の長孔（４０）内に挿入される。
【００２９】
図４に示すように、ディスク固定肩部（５，６）は、スタッド（３５）を通る空洞（２）の横断径Ｄに関して１０°から４５°の間の角度領域内、かつ空洞（２）の長手軸Ｘの両側に対称に配設されることが好ましい。一方、楔止め肩部（４）は長手軸Ｘ上に配設される。
【００３０】
この変形は、数枚のディスクに対して最も良好に適用される。
このケースにおいて、ディスク同士は部分的に重なり、空洞（２）には、本発明に係る肩部を備える、少なくとも１枚の他のディスクを収容することを意図した、少なくとも１つの第２の隣接する空洞（図４に部分的に示す）が側方に延設される。
【００３１】
トレイ（１）は、透明プラスチック材料を成形、または可能性としては熱変形させることによって形成される。前述のケースと同様に、ディスクを収容することを意図した空洞（２）を有している。この空洞は、指を受け入れることができるように、ハウジング（８）を貫通する軸上に長い長円形である。
【００３２】
トレイは、周辺枠を形成する縁を有している。これは、捻れによる変形を低減することによりトレイの剛性に寄与し、したがって、トレイ（１）の厚みを低減することができる。
【００３３】
さらに、トレイを段ボールシートまたはケースの上に接着するための４つの領域を有している。
本発明は実施例を挙げて説明されている。当業者には、本発明の内容から逸脱しない限り本発明の種々の変形を製造することができることが明白であろう。
【図面の簡単な説明】
【００３４】
【図１】本発明に係るケースの１つの可能な実施形態の上面図。
【図２】前記ケースのＡＡ断面図。
【図３】前記ケースの斜視図。
【図４】前記ケースの底面図。
【図１】
2008506596.tif 000003
【図２】
2008506596.tif 000004
【図３】
2008506596.tif 000005
【図４】
2008506596.tif 000006
【国際調査報告】
2008506596.tif 000007
2008506596.tif 000008
2008506596.tif 000009
2008506596.tif 000010
2008506596.tif 000011
2008506596.tif 000012